(57)【要約】【課題】持ち運びに適した小型製品を提供する。【解決手段】上下方向に伸縮自在の円筒状の小型容器１１と、その開口部に取り付けられた噴射ノズル１２と、その噴射ノズルを閉じるキャップ１３と、外力による小型容器の変形を防止する保護部材１４と、全体を覆うシュリンクフィルム１５と、小型容器内に充填される内容物Ｃとからなる携帯用の小型製品１０。この小型製品１０は、一度の使用により小型容器内の内容物の全てを霧状や泡状にして吐出する携帯用の小型吐出製品である。【選択図】図１
2011011809.tif 000002
【特許請求の範囲】
【請求項１】
弾性変形可能な胴部を有する小型容器と、
その小型容器に充填される内容物と、
前記胴部の変形を防止する変形防止手段とを備えた小型製品。
【請求項２】
前記胴部が、蛇腹状に構成されており、
前記変形防止手段が、前記胴部を収容する円筒部を有する保護部材からなっている、請求項１記載の小型製品。
【請求項３】
前記変形防止手段が、前記保護部材と、保護部材を小型容器に対して保持するフィルム部材とからなっている、請求項２記載の小型製品。
【請求項４】
前記胴部が、蛇腹状に構成されており、
前記変形防止手段が、前記胴部を覆うフィルム部材からなっている、請求項１記載の小型容器。
【請求項５】
前記変形防止手段が、前記フィルム部材と、そのフィルム部材の外周に設けられた円筒状のラベル部材とからなる、請求項４記載の小型容器。
【請求項６】
前記小型容器の開口部に取り付けられ、噴射孔を有する噴射ノズルをさらに備えており、
前記変形防止手段が、前記噴射孔を塞ぐ半球状の突起を内面に有する蓋部材からなっている、請求項１記載の小型容器。
【発明の詳細な説明】
【技術分野】
【０００１】
本発明は小型製品に関する。
【背景技術】
【０００２】
近年、様々な内容物が小型の容器に充填されて小型製品として販売されている。このような製品として、シャンプー、リンス、液体石鹸などの化粧品等が挙げられる。一方、インフルエンザ等の感染が注目される中、うがい、消毒などの行為が個人の責任として求められており、殺菌剤、消毒剤の小型製品も求められている。
【０００３】
このような小型製品として、一般的にアルミニウムの小袋に内容物を充填したものや、合成樹脂製の容器に内容物を充填したものが知られている。また、特許文献１にあるような小型圧力容器が知られている。
【０００４】
一方、特許文献２、３にあるように、溶液を供給するために、伸縮自在の容器が知られている。
【先行技術文献】
【特許文献】
【０００５】
【特許文献１】特許第３９５１０４５号
【特許文献２】特開平１１−２８３９４号公報
【特許文献３】特開２００４−１８８９０５号公報
【発明の概要】
【発明が解決しようとする課題】
【０００６】
しかし、特許文献１のように硬質の容器に弁を設けた小型製品は、コストが高くなる。一方、アルミニウム等からなる小袋製品、あるいは、特許文献２、３のように変形可能な容器から構成した小型製品は、コストが安く、その吐出操作も容易であるが、外力が加えられると変形により内容物が漏出したり、破断したりすることがある。このように従来の小型製品は、携帯して持ち運ぶという点では問題があった。
本発明は、持ち運びに適した小型製品を提供することを目的としている。
【課題を解決するための手段】
【０００７】
本発明の小型製品は、弾性変形可能な胴部を有する小型容器と、その小型容器に充填される内容物と、前記胴部の変形を防止する変形防止手段とを備えたことを特徴としている。
このような小型製品であって、前記胴部が蛇腹状に構成されており、前記変形防止手段が前記胴部を収容する円筒部を有する保護部材からなっているものが好ましい。さらに、前記変形防止手段が、前記保護部材と、保護部材を小型容器に対して保持するフィルム部材とからなっているものが好ましい。
【０００８】
また、前記胴部が蛇腹状に構成されており、前記変形防止手段が前記胴部を覆うフィルム部材からなっていてもよく、そのフィルム部材の外周に円筒状のラベル部材を設けてもよい。
本発明の小型容器であって、小型容器の開口部に取り付けられ、噴射孔を有する噴射ノズルをさらに備えており、前記変形防止手段が、前記噴射孔を塞ぐ半球状の突起を内面に有する蓋部材からなっているものが好ましい。
【発明の効果】
【０００９】
本発明の小型製品は、弾性変形可能な胴部を有する小型容器と、その小型容器に充填される内容物と、前記胴部の変形を防止する変形防止手段とを備えているため、持ち運びのためにバッグ等に入れても、小型容器が変形し、内容物が漏出するおそれが小さい。
【００１０】
本発明の小型製品であって、前記胴部が蛇腹状に構成されており、前記変形防止手段が前記胴部を収容する円筒部を有する保護部材からなっている場合、上下方向に変形する小型容器を保護部材で覆っているため、小型製品に外力が加えられても、小型容器にはその外力が伝わりにくい。また小型容器に力が伝わっても、その力は保護部材の円筒部と複数個所で当接している蛇腹の当接部に分散され、小型容器は変形しにくい。さらに、前記変形防止手段が前記保護部材と、保護部材を小型容器に対して保持するフィルム部材とからなっている場合、小型容器に外力が一層伝わりにくくなる。また、フィルム部材が、保護部材を小型容器にしっかり保持し、保護部材が小型容器から脱離しにくくなる。
【００１１】
本発明の小型製品であって、前記胴部が蛇腹状に構成されており、前記変形防止手段が前記胴部を覆うフィルム部材からなっている場合、前記胴部はフィルム部材によってその形状が保持され、変形しにくい。また、そのフィルム部材の外周に円筒状のラベル部材が設けられている場合、小型容器に外力が一層加わりにくくなる。
【００１２】
本発明の小型製品であって、小型容器の開口部に取り付けられ、噴射孔を有する噴射ノズルをさらに備えており、前記変形防止手段が前記噴射孔を塞ぐ半球状の突起を内面に有する蓋部材からなっている場合、噴射孔を突起が確実にシールし、外力が加えられても内容物は漏出しない。特に、外力が加わった場合、内容物により噴射ノズルの噴射孔は外部に拡がろうとするが、それにより突起が噴射孔を一層押圧することになり、気密性が高まり、小型容器の変形は抑えられる。
【図面の簡単な説明】
【００１３】
【図１】本発明の小型製品の一実施形態を示す側面断面図である。
【図２】図２ａ、図２ｂ、図２ｃは、それぞれ図１の小型容器、噴射ノズル、キャップを示す側面断面図であり、図２ｄは噴射ノズルの他の形態を示す側面断面図である。
【図３】図３ａ〜図３ｅは、本発明の小型製品の製造方法を示す工程図である。
【図４】図４ａ〜図４ｃは、本発明の小型製品の他の製造方法を示す工程図である。
【図５】図５ａ〜図５ｄは、本発明の小型製品のさらに他の製造方法を示す工程図である。
【図６】図６ａは本発明の小型製品の他の実施形態を示す側面断面図であり、図６ｂはその小型製品に用いられる噴射部材の側面断面図であり、図６ｃは小型製品とその噴射部材とを連結させた状態図である。
【図７】本発明の小型製品のさらに他の実施形態を示す側面断面図である。
【図８】図８ａ、図８ｂは、それぞれ本発明の小型製品のさらに他の実施形態を示す平面断面図、側面断面図である。
【図９】図９ａは本発明の小型製品のさらに他の実施形態を示す側面図であり、図９ｂは本発明の小型製品を収容できる収容ケースの斜視図である。
【発明を実施するための形態】
【００１４】
図１の小型製品１０は、上下方向に伸縮自在の円筒状の小型容器１１と、その開口部に取り付けられた噴射ノズル１２と、その噴射ノズルを閉じるキャップ１３と、外力による小型容器の変形を防止する保護部材１４と、全体を覆うシュリンクフィルム１５と、小型容器内に充填される内容物Ｃとからなる。この小型製品１０は、一度の使用により小型容器内の内容物の全てを霧状や泡状にして吐出する携帯用の小型吐出製品である。
【００１５】
小型容器１１は、図２ａに示すように、蛇腹が形成された胴部１６と、その下端を閉じる底部１７と、その上端に形成されたテーパー状の肩部１８と、その上端に形成された円筒状の口部１９とからなる。口部１９の外周には、雄ネジ１９ａが形成されている。この小型容器１１は、直鎖低密度ポリエチレン（ＬＬＤＰＥ）、低密度ポリエチレン（ＬＤＰＥ）、中密度ポリエチレン（ＭＤＰＥ）、高密度ポリエチレン（ＨＤＰＥ）などのポリエチレン、エチレン−ビニルアルコール共重合体（ＥＶＯＨ）、ポリアミド（ＮＹ）等の弾性を有する合成樹脂材料からブロー成型などにより成形されており、上下に伸縮できるように構成されている。小型容器は前記樹脂材料の単層構造でもよく、ＰＥ／ＥＶＯＨ／ＰＥ、ＰＥ／ＮＹ／ＰＥのように積層構造にしてもよい。この小型容器の胴部１６の蛇腹を圧縮するようにして、底部１７と肩部１８とを当接させることにより、内容物を外部に吐出させる。
この小型容器１１の胴部１６の径は５〜３０ｍｍ、特に、８〜２０ｍｍであり、その容量は０．３〜１０ｍｌ、特に、０．５〜５ｍｌである。
【００１６】
噴射ノズル１２は、図２ｂに示すように、円板状のノズル部２１と、その下面から下方に延びる円筒状の脚部２２とからなる。ノズル部２１の縁部２１ａは、脚部２２に対して段部となっている。また、ノズル部２１の中心には、噴射孔２３が形成されている。脚部２２は、複数個の舌片で構成してもよい。
この噴射ノズル１２は、脚部２２を小型容器の口部１９内に挿入し、ノズル部の縁部２１ａを口部１９の上端と当接させて、小型容器１１に連結する。このとき、脚部２２の外部と口部１９の内面とが係合または嵌合するように構成されている。なお、ノズル部の縁部２１ａおよび／または口部上端を超音波や熱などにより溶着してもよい。噴射孔２３としては、内容物を霧状に噴射させるもの、泡状に噴射させるもの、棒状に噴射させるもののいずれが取り付けられていても良い。また、噴射ノズル１２ａの内部に円柱状のブッシュ１２ｂを挿入してもよく、この場合ノズル部１２ａ内面とブッシュ１２ｂの上面との間で内容物が旋回して広範囲に霧状で噴射できる（メカニカルブレークアップ）。さらにノズルの脚部２２の下端やブッシュを強く保持するために、肩部と首部の間にくびれ部を設けても良い。
【００１７】
キャップ１３は、図２ｃに示すように、天面２６と、その天面の縁部から下方に延びる円筒状の側壁２７とを有する断面コ字状のものであり、天面の中央に球面状の突起２８が形成されている。また、側壁２７の内面には、前記口部の雄ネジ１９ａとネジ嵌合する雌ネジ２７ａが形成されている。
【００１８】
図１に戻って、保護部材１４は、小型容器の胴部１６を覆うように設けられた円筒状あるいは有底筒状のものであり、胴部１６の蛇腹の頂点と当接する円筒部からなる。これにより、小型製品に外力が加わっても、その力は上下方向に複数個所で円筒部の内面と当接する複数ある小型容器の蛇腹の頂点に分散されるため、胴部１６の径の拡張と胴部の変形が抑制される。つまり、小型製品が外力を受けても、保護部材１４がその外力をつっぱる。この保護部材１４は、フィルム状の合成樹脂を接着や溶着などにより円筒状にする、合成樹脂を射出成型により円筒状にする、合成樹脂を真空成型などにより有底筒状に成型するなどにより製造することができ、特に、ポリエチレンテレフタレート、ポリ塩化ビニル、ポリスチレン、ポリカーボネート等の熱可塑性樹脂が挙げられる。
【００１９】
シュリンクフィルム１５は、小型容器１１、キャップ１３、保護部材１４を覆い、底部１７の一部を残すように、かつ、密着して設けられている。これにより、保護部材１４は小型容器の胴部１６に保持される。また、このシュリンクフィルム１５は小型容器の胴部１６の形状を固定するため、蛇腹状の胴部１６は半径方向に対するつっぱり力を得る。そのため、このシュリンクフィルム１５は、小型容器の変形防止にもなる。図１では、全体を覆うように設けられているが、少なくとも小型容器の胴部１６（保護部材１４）と、小型容器の肩部１８および底部１７の一部を覆っていれば、保護部材１４を小型容器１１に保持でき、かつ、胴部１６の変形を抑制する。
図１では、噴射ノズル１２を閉じるキャップ１３を設けたが、シュリンクフィルム１５で噴射孔を閉じてもよい。
さらに、シュリンクフィルム１５の外周に、製品名、内容物の詳細（成分名、量、危険物等）、用途、使用方法、注意事項、会社名等の製品情報を記載したラベルを設けても良い。また、これらの製品情報は、シュリンクフィルム１５を透明にした場合、保護部材１４に記載してもよい。
またシュリンクフィルムを設ける場合は、保護部材をフィルム状とし、シュリンクフィルムを設けるときに円筒状にしてもよい。
【００２０】
内容物Ｃとしては、霧状に吐出するものとしてアルコールや水を主成分とした殺菌消毒剤、消臭剤、芳香剤、ボディフレグランス、冷却剤、ヘアスプレー、忌避剤、日焼け止め等が挙げられ、泡状に吐出するものとして殺菌消毒剤、洗浄剤、ヘアフォーム等が挙げられ、棒状に吐出するものとして、トニック、洗浄剤等が挙げられる。
【００２１】
この小型製品１０は、キャップ１３、保護部材１４およびシュリンクフィルム１５のそれぞれが小型容器１１の変形防止手段として作用する。つまり、キャップ１３は、突起２８が噴射孔２３を閉鎖しているため、小型容器１１に力が加わったとき、突起と噴射ノズルとの接触が一層強くなり、噴射孔をより強くシールし、容器本体の変形を防止する。保護部材１４は、小型容器の胴部１６の形状を保護し、外力による胴部１６の変形を防止する。シュリンクフィルム１５は、小型容器の胴部１６の形状を保護すると同時に、キャップ１３を噴射孔２３に対して押圧し、突起２８の噴射孔２３への気密性を向上させる。
このように、小型製品１０は、キャップ１３、保護部材１４およびシュリンクフィルム１５を備えているため、変形可能な胴部１６が保護され、外力を受けても小型容器１１が変形しにくく、内容物Ｃも漏出しにくい。
【００２２】
このような小型製品１０は、シュリンクフィルム１５を剥がし、保護部材１４を外して用いる。そして、例えば、人差し指と中指の間から小型容器の口部１９が突出するように肩部１８を挟み、親指で小型容器の底部１７を押すようにして、使用する。このとき小型容器は蛇腹が収縮し、内容物Cは噴射ノズルの噴射孔から吐出される。このように、小型製品１０は、一度の使用により簡単に内容物の全部を吐出することができる。
【００２３】
図３ａ〜ｅに保護部材１４が底部１４ａを備えた小型製品１０（図３ｅ参照）の製造方法を示す。しかし、円筒状の保護部材１４でもその効果、方法は同じである。初めに図３ａに示すように小型容器１１を保護部材１４内に挿入する。その状態で、小型容器１１の上から充填機Ａをセットし、内容物Ｃを充填する。このとき、小型容器１１は充填機Ａにより押圧されるが、保護部材１４により胴部の変形が防止される（図３ｂ参照）。その後、噴射ノズル１２の挿入（図３ｃ参照）およびキャップ１３の装着（図３ｄ参照）を行う。このときも、小型容器１１は下方に押圧されるが容器形状は保持される。最後に、シュリンクフィルム１５を設ける（図３ｅ参照）。なお、保護部材１４を複数個連結して成型し、それぞれの保護部材に小型容器を収納することにより連続して生産しやすく、また消費者は必要な数だけをちぎり取って持ち歩くことができる。
【００２４】
図４ａ〜ｃに本発明の小型製品の他の製造方法を示す。この方法は、小型容器１１に噴射ノズル１２の挿入、内容物Ｃの充填を同時に行い、その後、保護部材１４、シュリンクフィルム１５を順次設けて製造するものである。
初めに図４ａに示すように、小型容器１１の上に噴射ノズル１２を配置させる。その後、充填機Ａで噴射ノズル１２を小型容器１１内に押し込み、それと同時に小型容器１１内の空気を排出する（図４ｂ参照）。その後、充填機Ａを上昇させながら内容物Ｃを充填する（図４ｃ参照）。その後、キャップ、１３、保護部材１４およびシュリンクフィルム１５を設ける（図示せず）。
【００２５】
図５ａ〜ｄに本発明の小型製品のさらに他の製造方法を示す。この方法は、小型容器１１の成形から内容物の充填、シールまでを連続して金型内で行い製造するものである。
初めに図５ａに示すように、小型容器１１のプリフォームＰを成形し、それを金型Ｄに挿入する。その後、プリフォーム内に加圧空気を吹き込み、小型容器１１の形状を形成する（図５ｂ参照、ブロー成形）。この状態で原液Ｃを充填し（図５ｃ参照）、さらに噴射ノズル１２を挿入する（図５ｄ参照）。そして、金型の可動部で小型容器１１の首部の上部を挟み、溶着してシールする。この小型製品はシール部をねじり取ってから使用する。この形態では、噴射ノズル１２を小型容器１１に保持させるべく口部と肩部の間にくびれ部を設けている。
【００２６】
図６ａに示す小型製品３０は、上下方向に伸縮自在の円筒状の小型容器１１と、その開口部に取り付けられたシール部材３１と、全体を覆うシュリンクフィルム１５と、小型容器内に充填される内容物Ｃとからなる。この小型製品３０は、噴射ノズルの代わりにシール部材３１を備えており、また、保護部材を設けず小型容器１１の外周にシュリンクフィルム１５を直接設けたものである。小型容器１１、シュリンクフィルム１５および内容物Ｃは、図１の小型製品１０と実質的に同じである。
【００２７】
シール部材３１は、図１の噴射ノズル１２に噴射孔２３が設けられていないものであり、円板状のシール部３２と、その下面から下方に延びる脚部３３とからなる。シール部３２の縁部３２ａは、脚部２２に対して段部となっている。
【００２８】
この小型製品３０は、シール部材３１およびシュリンクフィルム１５のそれぞれが小型容器１１の変形防止手段として作用する。一方、想像線３４で示すように、シュリンクフィルム１５の外周にラベルなどの円筒状の保護部材を設けてもよい。
【００２９】
図６ｂに示す噴射部材３５は、小型製品３０に用いられるものであり、噴射部材本体３６と、それに取り付けられる噴射ノズル３７とからなる。
噴射部材本体３６は、内容物が通過する円筒部３８と、その中部から外方に拡がる指掛け部３９と、その指掛け部の中心部近辺から下方に延び、円筒部の下部外周に設けられた第２円筒部４０とを有している。円筒部３８の上端は、前記噴射ノズル３７を受入れるノズル係止部４１となっており、その下端は、シール部３２を破断する破断部４２となっている。指掛け部３９は、円筒部３８の中部から傘状に設けられている。第２円筒部４０は、小型容器の口部１９の外周を収容できる大きさになっている。つまり、円筒部３８と第２円筒部４０の間に口部１９が挿入されるように構成されている。また、第２円筒部４０の下端は円筒部３８の下端より下方に突出している。
噴射ノズル３７は、図２ｂの噴射ノズル１２と実質的に同じものであり、ノズル部２１、脚部２２とを備えている。
【００３０】
図６ｃに小型容器３０と噴射部材３５を連結した状態を示す。上述したように噴射部材の円筒部３８と第２円筒部４０の間に小型容器の口部１９を挿入したものである。このとき、第２円筒部４０の下端の方が円筒部３８の下端より下方に突出しているため、噴射部材３５の小型容器に対する位置決めが容易に行える。シール部材３１を噴射部材の円筒部３８で破断した後は、例えば、指掛け部３９に人差し指と中指とを掛け、親指で小型容器の底部１７を押すことにより、内容物Ｃを容易に吐出できる。
【００３１】
図７の小型容器４５は、上下方向に伸縮自在の円筒状の小型容器１１と、その開口部に取り付けられた噴射ノズル１２と、その噴射ノズルを閉じ、外力による小型容器の変形を防止する保護部材４６と、小型容器内に充填される内容物Ｃと、保護部材の底部に貼り付けられた開封部材４４とからなる。この小型容器４５は、シュリンクフィルムを用いずに、開封部材４４と保護部材４６で収納したものである。小型容器１１と、噴射ノズル１２、および、内容物Ｃは、図１の小型製品１０と実質的に同じである。
【００３２】
保護部材４６は、変形防止手段として作用し、小型容器の胴部１６の外周を覆う円筒部を有する本体４７と、その上端に形成され、小型容器の肩部１７の外周を覆うテーパー部４８と、その上端に形成され、小型容器の口部の下部外周を覆う首部４９と、噴射ノズル１２と当接する底部４９ａとからなる。この形態では、開封部材４４が小型容器の底部をやや押し付けており、噴射ノズル１２の噴射孔は底部４９ａの突起４９ｂによりシールされる。
【００３３】
開封部材４４はアルミや合成樹脂などを薄い円形のフィルム状にしたものであり、その外周縁近辺が小型容器４５の底部に接着されており、一端部に舌片４４ａが設けられている。この舌片４４ａを上方にめくり上げることで開封部材４４が剥がれ、小型容器４５を取り出すことができる。
【００３４】
図８ａ、図８ｂの小型製品５０は、幅方向に伸縮自在の扁平な小型容器５１と、その開口部に取り付けられた噴射ノズル１２と、小型容器内に充填される内容物Ｃとからなる。噴射ノズル１２、キャップ１３、および、内容物Ｃは、図１の噴射ノズル１２と実質的に同じものである。
【００３５】
小型容器５１は、楕円状の２つの山の裾を連結した扁平な形状の胴部５２と、その上端に設けられる口部１９とからなり、口部の外周には雄ネジが形成されている。このものは、胴部側面同士を当接させるように、潰して内容物を吐出させる。
【００３６】
この小型製品５０は、キャップ１３が変形防止手段として作用する。また、製品全体またはキャップ１３および小型容器の上部（口部１９）をシュリンクフィルム等で覆ってもよい。
【００３７】
図９ａの小型製品６０は、複数の小型容器１１を備えたものであり、小型容器１１と、複数の小型容器１１を保護する保護部材６１と、その保護部材と連結して小型容器１１を覆う蓋部材６２と、保護部材６１と蓋部材６２とを固定するシュリンクフィルム６３と、小型容器１１内に充填される内容物（図示せず）とからなる。小型容器１１は、図１の小型容器１１と実質的に同じものである。
【００３８】
保護部材６１は、小型容器１１を収容するように複数設けられた有底筒状の収容部６４が連続しているものである。収容部６４の内面と小型容器１１の蛇腹の頂点が当接するように構成されている。
蓋部材６２は、小型容器１１の口部を覆うように形成された複数の蓋部６５が連続しているものである。
保護部材６１と蓋部材６２は、ヒンジ部等で連結していてもよく、別離できるようになっていてもよい。
シュリンクフィルム６３は、保護部材６１と蓋部材６２との鍔部を固定するものである。このように固定することにより、小型製品に外力が加わっても、小型容器１１には伝わらない。しかし、シュリンクフィルム６３を用いず、保護部材６１と蓋部材６２の対向する面を接着剤、あるいは、溶着等によって固定してもよい。
この小型製品６０は、保護容器６１に複数の小型容器１１を収容し、図３に示すように、小型容器１１の形状を保持しながら内容物を充填することができる。これにより複数の小型容器１１を一度に充填でき、生産性が高い。
【００３９】
図９ｂは小型製品１０の収容ケース６６である。例えば図１の小型製品１０、図６の小型製品３０を収容ケースに入れることにより、外力から一層保護する。また、鞄等に入れても簡単に取り出すことができる。
【符号の説明】
【００４０】
Ｃ    内容物
Ｄ    金型
Ｐ    プリフォーム
１０  小型製品
１１  容器本体
１２  噴射ノズル
１３  キャップ
１４  保護部材
１５  シュリンクフィルム
１６  胴部
１７  底部
１８  肩部
１９  口部
１９ａ  雄ネジ
２１  ノズル部
２１ａ  縁部
２２  脚部
２３  噴射孔
２６  天面
２７  側壁
２７ａ  雌ネジ
２８  突起
３０  小型製品
３１  シール部材
３２  シール部
３２ａ  縁部
３３  脚部
３５  噴射部材
３６  噴射部材本体
３７  噴射ノズル
３８  円筒部
３９  指掛け部
４０  第２円筒部
４１  ノズル係止部
４４  開封部材
４４ａ  舌片
４５  小型製品
４６  保護部材
４７  本体
４８  テーパー部
４９  首部
４９ａ  底部
４９ｂ  突起
５０  小型製品
５１  容器本体
５２  胴部
６０  小型製品
６１  保護部材
６２  蓋部材
６３  シュリンクフィルム
６４  収容部
６５  蓋部
６６  収容ケース
【図１】
2011011809.tif 000003
【図２】
2011011809.tif 000004
【図３】
2011011809.tif 000005
【図４】
2011011809.tif 000006
【図５】
2011011809.tif 000007
【図６】
2011011809.tif 000008
【図７】
2011011809.tif 000009
【図８】
2011011809.tif 000010
【図９】
2011011809.tif 000011